【事件の表示】
　特願２０１３−２４２０７４「利用者端末」拒絶査定不服審判事件〔平成２６年　４月１７日出願公開、特開２０１４−　６７４３５〕について、次のとおり審決する。
【結　論】
　本件審判の請求は、成り立たない。
【理　由】
第１　手続の経緯
　本願は，平成２１年１月２３日（国内優先権主張日：平成２０年１月２３日，及び，平成２０年５月８日）を出願日とする特許出願（特願２００９−１３０７６号）の一部を平成２５年１１月２２日に新たな特許出願（特願２０１３−２４２０７４号）としたものであって，平成２５年１２月１３日，及び，平成２６年５月１９日に手続補正がなされ，平成２６年８月１８日付けの拒絶理由通知に対して同年９月２６日に意見書の提出とともに手続補正がなされ，同年１１月１８日付けの拒絶査定に対して平成２７年１月２６日に審判請求がなされるとともに同日付けで手続補正がなされたものである。
　
第２　補正却下の決定について
　［補正却下の決定の結論］
　　平成２７年１月２６日付の手続補正を却下する。
　　
　［理由］
１．手続補正の内容
　平成２７年１月２６日付の手続補正（以下，「本件補正」という。）により，補正前の平成２６年９月２６日付け手続補正による特許請求の範囲が，
＜本件補正前の特許請求の範囲＞
「【請求項１】
　デジタルコンテンツをサーバから受信する利用者端末であって，
　前記デジタルコンテンツの表示を要求するコンテンツ表示要求を出力する表示要求手段と，
　前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段と
　を備え，
　前記コンテンツ表示手段は，
　前記デジタルコンテンツにおいて前記広告を表示する位置であって，当該デジタルコンテンツの提供者が指定した位置にて，前記デジタルコンテンツを分割するデジタルコンテンツ分割手段にて分割されたデジタルコンテンツを前記サーバから受信する
ことを特徴とする利用者端末。
　　【請求項２】
　前記デジタルコンテンツを表示するためのリンクを表示するリンク表示手段を備え，
　前記表示要求手段は，
　前記リンク表示手段にて表示された前記リンクが押下された場合，前記コンテンツ表示要求を出力する
　ことを特徴とする請求項１に記載の利用者端末。
　　【請求項３】
　前記コンテンツ表示手段は，
　前記広告と共に前記広告の残り表示時間が表示されるように構成されたデータを前記サーバから受信し，前記残り表示時間を表示する
　ことを特徴とする請求項１または請求項２に記載の利用者端末。」
から，
＜本件補正後の特許請求の範囲＞
「【請求項１】
　デジタルコンテンツをサーバから受信する利用者端末であって，
　前記デジタルコンテンツの表示を要求するコンテンツ表示要求を出力する表示要求手段と，
　前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段と
　を備え，
　前記コンテンツ表示手段は，
　前記デジタルコンテンツにおいて前記広告を表示する位置であって，当該デジタルコンテンツの提供者が指定した位置にて，前記デジタルコンテンツを分割するデジタルコンテンツ分割手段にて分割されたデジタルコンテンツを前記サーバから受信
し，そのデジタルコンテンツ分割手段で分割された位置にて前記広告を表示する
ことを特徴とする利用者端末。
　　【請求項２】
　前記デジタルコンテンツを表示するためのリンクを表示するリンク表示手段を備え，
　前記表示要求手段は，
　前記リンク表示手段にて表示された前記リンクが押下された場合，前記コンテンツ表示要求を出力する
　ことを特徴とする請求項１に記載の利用者端末。
　　【請求項３】
　前記コンテンツ表示手段は，
　前記広告と共に前記広告の残り表示時間が表示されるように構成されたデータを前記サーバから受信し，前記残り表示時間を表示する
　ことを特徴とする請求項１または請求項２に記載の利用者端末。」（なお，下線は補正箇所を示すものとして出願人が付与したものである。）
へと補正された。
　　
２．新規事項の有無，及び，本件補正の目的について
　本件補正は，願書に最初に添付した明細書又は図面に記載した事項の範囲内において，補正前の「コンテンツ表示手段」が「そのデジタルコンテンツ分割手段で分割された位置にて前記広告を表示する」ものであることに限定するものであるから，当該補正は特許請求の範囲の限定的減縮を目的とするものである。
　したがって，本件補正は，特許法第１７条の２第３項（新規事項）及び特許法第１７条の２第５項第２号（補正の目的）の規定に適合している。 
　また，本件補正は特許請求の範囲の減縮を目的とするものであるから，上記本件補正後の発明が特許出願の際独立して特許を受けることができるものであるのかどうか（特許法第１７条の２第６項において準用する同法第１２６条第７項の規定に適合するか）について以下に検討する。 
　　
３．独立特許要件について
（１）本件補正後の発明
　本件補正後の請求項１に係る発明（以下，「本件補正発明」という。）は，以下のとおりのものである。
「【請求項１】
　デジタルコンテンツをサーバから受信する利用者端末であって，
　前記デジタルコンテンツの表示を要求するコンテンツ表示要求を出力する表示要求手段と，
　前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段と
　を備え，
　前記コンテンツ表示手段は，
　前記デジタルコンテンツにおいて前記広告を表示する位置であって，当該デジタルコンテンツの提供者が指定した位置にて，前記デジタルコンテンツを分割するデジタルコンテンツ分割手段にて分割されたデジタルコンテンツを前記サーバから受信し，そのデジタルコンテンツ分割手段で分割された位置にて前記広告を表示する
ことを特徴とする利用者端末。」
　　
（２）引用例
（２−１）原査定の拒絶の理由に引用された特開２００２−２５１１５７号公報（以下，「引用例１」という。）には，図面とともに，次の事項が記載されている。なお，下線は当審において付与したものである。
ア　「【００２３】本実施形態の
コンテンツ及びＣＭ配信記録システム１００は，図１に示すように，記録装置１１１及びディスプレイ１１２を持つクライアント１１０，配信装置１２１及びコンテンツ１２２を持つサーバー１２０，及び両者１１０，１２０を接続するネットワーク１３０を含んでおり
【００２４】
記録装置１１１は，ネットワーク１３０を介して，配信装置１２１より配信される記述データ，コンテンツ及びＣＭのデータを記録する。記録装置１１１には後で詳細に説明するが，ＨＤＤ（ハードディスクドライブ）が搭載されており，ネットワーク１３０より受信したデータは，順次ＨＤＤに記録される。
ＨＤＤに書き込まれたコンテンツやＣＭの映像データは，必要に応じて再生され，デイスプレイ１１２に表示される。
【００２５】
サーバー１２０には，配信するコンテンツに応じたＣＭデータが記録されている。
　　
イ　「【００３９】
記録装置１１１は，制御部４１０，コマンド送信部４１１，データ受信部４１２，時間管理部４１３，データ記録部４１４，ユーザ情報記録部４１５，再生部４１６，を含む
【００４０】
データ受信部４１２で受信されたデータは，制御部４１０を介してデータ記録部４１４に記録される。まず初めにデータ受信部４１２で受信されるデータは，記述データであって，コンテンツ及びＣＭの識別番号，再生時間等の情報が含まれるデータである。
【００４１】
制御部４１０は，記述データに含まれるＣＭの識別番号及びコンテンツの識別番号に相当するコマンドを生成し，コマンド送信部４１１に送る。コマンド送信部４１１に送られたコマンドは，ネットワーク１３０を介して，配信装置１２１に送信される
【００４２】
データ受信部４１２で受信されたコンテンツ及びＣＭのデータは，制御部４１０を介して，データ記録部４１４に記録される。データ記録部４１４に記録されているＣＭのデータは，制御部４１０を介して，再生部４１６に送られ，映像信号に変換される。映像信号はディスプレイ１１２に送られ表示される。ＣＭを再生する際，制御部４１０は，記述データに記載されているＣＭの再生時間を時間管理部４１３に送り，時間管理部４１３は，その再生時間が経過するのを計測する。制御部４１０は，再生部４１６でＣＭが再生されている時間と，時間管理部４１３で計測される時間を比較し，記述データに記載された再生時間だけＣＭが再生されれば，次の記述データを再生する処理を行う。つまり，記述データに記載されている次のＣＭまたは本編の識別番号に相当するデータを，配信装置１２１から取得する
　　
ウ　「【００４５】次に
記述データの例を示す。図４は，ＣＭを含むコンテンツの概略を示している。図４に示した例では，まず，２つのＣＭ（ＣＭ１及びＣＭ２）がそれぞれ３０秒再生された後，本編１が２０分再生される。その後，２つのＣＭ（ＣＭ３及びＣＭ４）がそれぞれ３０秒再生された後，本編２が２０分再生される。その後，２つのＣＭ（ＣＭ５及びＣＭ６）がそれぞれ３０秒再生された後，本編３が２０分再生されることを示している。これらの情報を含んだ記述データの例は，図５に示すようになる
【００４６】図１０を参照して，
クライアント１１０とサーバー１２０間でやり取りされるコマンド及びデータについて簡単に説明する
【００４７】まず，
サーバー１２０にあるコンテンツの一覧を知るため，クライアント１１０からコンテンツ一覧要求の信号が送信される（ステップＳ７０１）。これに応じて，サーバー１２０からはコンテンツ一覧のデータが送信される（ステップＳ７０２）。クライアント１１０では，コンテンツの一覧が表示され，利用者は自分が見たいコンテンツを選択する。そうすると，クライアント１１０からそのコンテンツに対応する識別番号を含むコンテンツ要求の信号が送信される（ステップＳ７０３）。サーバー１２０からは，それに対応したコンテンツ記述データが送信される（ステップＳ７０４）。コンテンツ記述データを受信したクライアント１１０は，その記述データを解釈し，コンテンツを再生するための最初の識別番号をサーバー１２０に送信する（ステップＳ７０５）。この最初の要求の信号は，ＣＭを再生するためのものであることが多い。サーバー１２０からは，識別番号に対応したＣＭのデータが送信される（ステップＳ７０６）。クライアント１１０で，ＣＭが所定の時間再生されると，コンテンツの本編に対応した識別番号を含むコマンドが送信される（ステップＳ７０７）。これに応じて，サーバーから識別番号に対応したコンテンツ（本編）のデータが送信される（ステップＳ７０８）
【００４８】以上がクライアント１１０とサーバー１２０間でやり取りされる信号の説明であったが，データの種類等によりやり取りされるコマンド，データの順序や種類が異なることは言うまでもない。
【００４９】次に，コンテンツ（本編）及びＣＭのデータをサーバー１２０からクライアント１１０に順次送信するのか，一括して送るのかで，違った効果を生むので，それについて項分けして説明する。
【００５０】（１）
記述データのみ配信され，ＣＭ及びコンテンツのデータをその都度サーバー１２０からクライアント１１０に送信する場合
この場合の処理フローを図６に示し，以下に処理の流れを説明する。
【００５１】
まず初めに，記述データの要求をサーバーに送信する（ステップＳ５１１）。次に，サーバーより送信された記述データを受信する（ステップＳ５１２）。記述データに記載されている順序に従い，本編までに再生する対応する識別番号のＣＭデータをすべて要求する（ステップＳ５１３）。次に，サーバーより送信されたＣＭデータを受信する（ステップＳ５１４）。次に，このＣＭデータを順次再生する（ステップＳ５１５）。次に，本編のデータをサーバーに要求する（ステップＳ５１６）。次に，サーバーより送信された本編のデータを受信する（ステップＳ５１７）。次に，この本編のデータを再生する（ステップＳ５１８）。記述データに記載されているＣＭと本編のデータが終了したかどうか判定し（ステップＳ５１９），まだ再生するデータが残っている場合は，ステップＳ５１３からの処理を繰り返す
　　
　以上，ア〜ウの記載から，引用例１には以下の発明（以下，「引用発明」という。）が記載されていると認められる。
「コンテンツ及びＣＭ配信記録システム１００は，記録装置１１１及びディスプレイ１１２を持つクライアント１１０，配信装置１２１及びコンテンツ１２２を持つサーバー１２０，及び両者１１０，１２０を接続するネットワーク１３０を含んでおり，
　サーバー１２０には，配信するコンテンツに応じたＣＭデータが記録されており，
　記録装置１１１は，ネットワーク１３０を介して，配信装置１２１より配信される記述データ，コンテンツ及びＣＭのデータを記録し，記録装置１１１にはＨＤＤ（ハードディスクドライブ）が搭載されており，ネットワーク１３０より受信したデータは，順次ＨＤＤに記録され，ＨＤＤに書き込まれたコンテンツやＣＭの映像データは，必要に応じて再生され，デイスプレイ１１２に表示されるものであり，
　記録装置１１１は，制御部４１０，コマンド送信部４１１，データ受信部４１２，時間管理部４１３，データ記録部４１４，ユーザ情報記録部４１５，再生部４１６，を含み，
　データ受信部４１２で受信されたデータは，制御部４１０を介してデータ記録部４１４に記録され，まず初めにデータ受信部４１２で受信されるデータは，記述データであって，コンテンツ及びＣＭの識別番号，再生時間等の情報が含まれるデータであり，
　記述データは，ＣＭを含むコンテンツの概略が，まず，２つのＣＭ（ＣＭ１及びＣＭ２）がそれぞれ３０秒再生された後，本編１が２０分再生され，その後，２つのＣＭ（ＣＭ３及びＣＭ４）がそれぞれ３０秒再生された後，本編２が２０分再生され，その後，２つのＣＭ（ＣＭ５及びＣＭ６）がそれぞれ３０秒再生された後，本編３が２０分再生されることを示す場合に，これらの情報を含んだものであり，
　制御部４１０は，記述データに含まれるＣＭの識別番号及びコンテンツの識別番号に相当するコマンドを生成し，コマンド送信部４１１に送り，コマンド送信部４１１に送られたコマンドは，ネットワーク１３０を介して，配信装置１２１に送信され，
　データ受信部４１２で受信されたコンテンツ及びＣＭのデータは，制御部４１０を介して，データ記録部４１４に記録され，
　データ記録部４１４に記録されているＣＭのデータは，制御部４１０を介して，再生部４１６に送られ，映像信号に変換され，映像信号はディスプレイ１１２に送られ表示され，ＣＭを再生する際，制御部４１０は，記述データに記載されているＣＭの再生時間を時間管理部４１３に送り，時間管理部４１３は，その再生時間が経過するのを計測し，制御部４１０は，再生部４１６でＣＭが再生されている時間と，時間管理部４１３で計測される時間を比較し，記述データに記載された再生時間だけＣＭが再生されれば，次の記述データを再生する処理を行い，つまり，記述データに記載されている次のＣＭまたは本編の識別番号に相当するデータを，配信装置１２１から取得するものであり，
　クライアント１１０とサーバー１２０間でやり取りされるコマンド及びデータについては，
　サーバー１２０にあるコンテンツの一覧を知るため，クライアント１１０からコンテンツ一覧要求の信号が送信され（ステップＳ７０１），これに応じて，サーバー１２０からはコンテンツ一覧のデータが送信され（ステップＳ７０２），クライアント１１０では，コンテンツの一覧が表示され，利用者は自分が見たいコンテンツを選択すると，クライアント１１０からそのコンテンツに対応する識別番号を含むコンテンツ要求の信号が送信され（ステップＳ７０３），サーバー１２０からは，それに対応したコンテンツ記述データが送信され（ステップＳ７０４），コンテンツ記述データを受信したクライアント１１０は，その記述データを解釈し，コンテンツを再生するための最初の識別番号をサーバー１２０に送信し（ステップＳ７０５），この最初の要求の信号は，ＣＭを再生するためのものであることが多く，サーバー１２０からは，識別番号に対応したＣＭのデータが送信され（ステップＳ７０６），クライアント１１０で，ＣＭが所定の時間再生されると，コンテンツの本編に対応した識別番号を含むコマンドが送信され（ステップＳ７０７），これに応じて，サーバーから識別番号に対応したコンテンツ（本編）のデータが送信される（ステップＳ７０８）ものであり，
　記述データのみ配信され，ＣＭ及びコンテンツのデータをその都度サーバー１２０からクライアント１１０に送信する場合には，
　まず初めに，記述データの要求をサーバーに送信し（ステップＳ５１１），次に，サーバーより送信された記述データを受信し（ステップＳ５１２），記述データに記載されている順序に従い，本編までに再生する対応する識別番号のＣＭデータをすべて要求し（ステップＳ５１３），次に，サーバーより送信されたＣＭデータを受信し（ステップＳ５１４），次に，このＣＭデータを順次再生し（ステップＳ５１５），次に，本編のデータをサーバーに要求し（ステップＳ５１６），次に，サーバーより送信された本編のデータを受信し（ステップＳ５１７），次に，この本編のデータを再生し（ステップＳ５１８），記述データに記載されているＣＭと本編のデータが終了したかどうか判定し（ステップＳ５１９），まだ再生するデータが残っている場合は，ステップＳ５１３からの処理を繰り返す，
コンテンツ及びＣＭ配信記録システム１００におけるクライアント１１０。」
　　
（２−２）原査定の拒絶の理由に周知例として引用された特開２００２−１６３１４１号公報（以下，「引用例２」という。）には，図面とともに，次の事項が記載されている。なお，下線は当審において付与したものである。
ア　「【００５８】図９は，本発明の第２の実施例の広告付加コンテンツ配信システムの動作のシーケンスチャートである。
【００５９】ステップ２０１）　
コンテンツ制作者１は，コンテンツ配信サーバ２に対してコンテンツ１１及び，当該コンテンツ１１の再生時間情報３３の登録を行う
【００６０】ステップ２０２）　広告依頼主３は，広告Ｗｅｂコンテンツ３２をＷｅｂサーバ５に登録する。
【００６１】ステップ２０３）　
広告依頼主３は，広告を載せたいコンテンツを指定してＵＲＬ情報をコンテンツ配信サーバ２のＵＲＬ情報付加装置２２に登録する
【００６２】ステップ２０４）　
コンテンツ配信サーバ２のＵＲＬ情報付加装置２２は，コンテンツ製作者１が登録したコンテンツ１１に対して，ＵＲＬ情報３１と再生時間情報３３からＵＲＬ情報付きコンテンツ２３を生成して，クライアント端末４からのアクセスに応じてサービスを提供する
【００６３】ステップ２０５）　
コンテンツ配信サーバ２は，クライアント端末４からのアクセスに応じて，ＵＲＬ情報付きコンテンツ２３を送信する
【００６４】ステップ２０６）　
クライアント端末４のＵＲＬ情報抽出装置４１は，ＵＲＬ情報付きコンテンツ２３からＵＲＬ情報３１とコンテンツ１１及び再生時間情報３３に分離し，コンテンツ１１及び再生時間情報３３をコンテンツ再生装置４２に，ＵＲＬ情報３１をＷｅｂブラウザ装置４３に転送する
【００６５】ステップ２０７）　
再生制御装置４５は，再生制御信号４６をコンテンツ再生装置４２に出力し，これにより，コンテンツ再生装置４２は，コンテンツ１１を再生制御信号４６に基づいて指定された再生時間だけ再生する
【００６６】ステップ２０８）　Ｗｅｂブラウザ装置４３は，ＵＲＬ情報３１に基づいてＷｅｂサーバ５にアクセスする。
【００６７】ステップ２０９）　Ｗｅｂブラウザ装置４３は，Ｗｅｂサーバ５上にある広告Ｗｅｂコンテンツ３２をダウンロードあるいはストリーミングといった方法で入手する。
【００６８】ステップ２１０）　
Ｗｅｂブラウザ装置４３は，入手した広告Ｗｅｂコンテンツを再生する
【００６９】なお，上記の例で，コンテンツ再生装置４２に対して再生制御信号４６を入力する例を示しているが，一方，広告情報であるＷｅｂコンテンツ３２を再生するための再生制御信号４６としてもよい。
【００７０】図１０は，本発明の第２の実施例のコンテンツが動画像であるときの時間情報付加の例を示す。
【００７１】コンテンツ１１が階層符号の動画像データの場合，動画像データは，映像１枚に相当する情報単位であるピクチャと呼ばれる単位で符号化されている。コンテンツ１１中のピクチャ単位の情報をピクチャレイヤ９１とすると，ピクチャレイヤ９１は，先頭にピクチャヘッダ９２と呼ばれる領域を持ち，更にピクチャヘッダ９２中にはユーザデータ９３と呼ばれる領域を確保できるよう決められている。このユーザデータ９３は，コンテンツ１１の符号化と関連のないデータを格納することが可能である。ＵＲＬ情報３１をユーザデータ９３とすることでＵＲＬ情報付きコンテンツ２３を生成することができる。
【００７２】さらに，ピクチャヘッダ９２内のユーザデータ９３はピクチャレイヤ９１毎に存在するので，ピクチャ毎にＵＲＬ情報３１を付加することができる。再生時間情報３３からＷｅｂブラウザ所定のピクチャのユーザデータ９３にＵＲＬ情報３１を記述し，
クライアント端末４に広告Ｗｅｂコンテンツ３２を再生する時間を通知することが可能である
　　
イ　【図９】
　　
　以上，ア及びイの記載から，引用例２には以下の事項（以下，「引用例２記載事項」という。）が記載されている。
＜引用例２記載事項＞
「コンテンツ制作者は，コンテンツ配信サーバに対してコンテンツ，及び，当該コンテンツの再生時間情報を登録し，クライアント端末において，コンテンツを前記再生時間情報で指定された再生時間だけ再生した後，入手した広告Ｗｅｂコンテンツを再生することで，クライアント端末に広告Ｗｅｂコンテンツを再生する時間を通知することを可能とすること。」
    　
（３）対比
　本件補正発明と引用発明とを比較する。
   　
ア　引用発明の「コンテンツ及びＣＭ配信記録システム１００」における「配信装置１２１及びコンテンツ１２２を持つサーバー１２０」は，「サーバー１２０には，配信するコンテンツに応じたＣＭデータが記録されており」との事項によれば，コンテンツとＣＭデータ，すなわち広告のデータを記録し配信するサーバである。
　また，引用発明の「コンテンツ及びＣＭ配信記録システム１００」における「記録装置１１１及びディスプレイ１１２を持つクライアント１１０」は，「記録装置１１１は，ネットワーク１３０を介して，配信装置１２１より配信される記述データ，コンテンツ及びＣＭのデータを記録し，記録装置１１１にはＨＤＤ（ハードディスクドライブ）が搭載されており，ネットワーク１３０より受信したデータは，順次ＨＤＤに記録され，ＨＤＤに書き込まれたコンテンツやＣＭの映像データは，必要に応じて再生され，デイスプレイ１１２に表示されるものであり」との事項によれば，ネットワークを介して上記「サーバー１２０」からコンテンツとＣＭのデータを受信してＨＤＤに記録し，再生し，ディスプレイに表示するものである。
　なお，引用発明の「コンテンツ」はネットワークを介してデータとして受信されていることから，いわゆるデジタルデータであって，「デジタルコンテンツ」であるといえる。
　そうすると，引用発明の「サーバー１２０」及び「クライアント１１０」は，本件補正発明における「サーバ」及び「利用者端末」に相当することは明らかである。
　また，引用発明の「クライアント１１０」は，「サーバー１２０」から「デジタルコンテンツ」を受信するものであることから，
　本件補正発明と引用発明は，後記する点で相違するものの，
「デジタルコンテンツをサーバから受信する利用者端末」
である点で共通する。
　　
イ　引用発明の「クライアント１１０」が「サーバー１２０」からコンテンツを受信する際の処理として，まず「サーバー１２０にあるコンテンツの一覧を知るため，クライアント１１０からコンテンツ一覧要求の信号が送信され（ステップＳ７０１），これに応じて，サーバー１２０からはコンテンツ一覧のデータが送信され（ステップＳ７０２），クライアント１１０では，コンテンツの一覧が表示され，利用者は自分が見たいコンテンツを選択すると，クライアント１１０からそのコンテンツに対応する識別番号を含むコンテンツ要求の信号が送信され（ステップＳ７０３）」が実行されており，これは利用者が見たいコンテンツとして選択したコンテンツに対応する識別番号を含むコンテンツ要求の信号を「クライアント１１０」から「サーバー１２０」へ出力する処理であることから，本件補正発明の「デジタルコンテンツの表示を要求するコンテンツ表示要求を出力する」処理に相当し，また，引用発明の「クライアント１１０」は当該処理機能を果たすための機能手段を備えているといえる。
　そうすると，本件補正発明と引用発明は，後記する点で相違するものの，
「前記デジタルコンテンツの表示を要求するコンテンツ表示要求を出力する表示要求手段」
を備える点で共通する。
　　
ウ　引用発明の「クライアント１１０」は，上記イで示した処理の後に，「サーバー１２０からは，それに対応したコンテンツ記述データが送信され（ステップＳ７０４），コンテンツ記述データを受信したクライアント１１０は，その記述データを解釈し，コンテンツを再生するための最初の識別番号をサーバー１２０に送信し（ステップＳ７０５），この最初の要求の信号は，ＣＭを再生するためのものであることが多く，サーバー１２０からは，識別番号に対応したＣＭのデータが送信され（ステップＳ７０６），クライアント１１０で，ＣＭが所定の時間再生されると，コンテンツの本編に対応した識別番号を含むコマンドが送信され（ステップＳ７０７），これに応じて，サーバーから識別番号に対応したコンテンツ（本編）のデータが送信される（ステップＳ７０８）」ものであり，また，詳細には「記述データのみ配信され，ＣＭ及びコンテンツのデータをその都度サーバー１２０からクライアント１１０に送信する場合には，まず初めに，記述データの要求をサーバーに送信し（ステップＳ５１１），次に，サーバーより送信された記述データを受信し（ステップＳ５１２），記述データに記載されている順序に従い，本編までに再生する対応する識別番号のＣＭデータをすべて要求し（ステップＳ５１３），次に，サーバーより送信されたＣＭデータを受信し（ステップＳ５１４），次に，このＣＭデータを順次再生し（ステップＳ５１５），次に，本編のデータをサーバーに要求し（ステップＳ５１６），次に，サーバーより送信された本編のデータを受信し（ステップＳ５１７），次に，この本編のデータを再生し（ステップＳ５１８），記述データに記載されているＣＭと本編のデータが終了したかどうか判定し（ステップＳ５１９），まだ再生するデータが残っている場合は，ステップＳ５１３からの処理を繰り返す」ものである。
　また，ここで引用発明の「記述データ」は「ＣＭを含むコンテンツの概略が，まず，２つのＣＭ（ＣＭ１及びＣＭ２）がそれぞれ３０秒再生された後，本編１が２０分再生され，その後，２つのＣＭ（ＣＭ３及びＣＭ４）がそれぞれ３０秒再生された後，本編２が２０分再生され，その後，２つのＣＭ（ＣＭ５及びＣＭ６）がそれぞれ３０秒再生された後，本編３が２０分再生されることを示す場合に，これらの情報を含んだもの」である。
　また，「クライアント１１０」の「記録装置１１１」では，「データ記録部４１４に記録されているＣＭのデータは，制御部４１０を介して，再生部４１６に送られ，映像信号に変換され，映像信号はディスプレイ１１２に送られ表示され，ＣＭを再生する際，制御部４１０は，記述データに記載されているＣＭの再生時間を時間管理部４１３に送り，時間管理部４１３は，その再生時間が経過するのを計測し，制御部４１０は，再生部４１６でＣＭが再生されている時間と，時間管理部４１３で計測される時間を比較し，記述データに記載された再生時間だけＣＭが再生されれば，次の記述データを再生する処理を行い，つまり，記述データに記載されている次のＣＭまたは本編の識別番号に相当するデータを，配信装置１２１から取得するもの」であり，この処理は「記述データ」に記載された再生時間だけＣＭが再生されたことを条件として，「記述データ」に記載された次のＣＭまたは本編のデータを再生する処理を行うものである。
　以上の「クライアント１１０」における処理をまとめると，上記イで検討した「サーバー１２０」にコンテンツ要求を送信した後，この要求されたコンテンツに対応した「記述データ」を「サーバー１２０」から受信し，当該「記述データ」の記載に基づいて，例えば上記の「２つのＣＭ（ＣＭ１及びＣＭ２）」を「サーバー１２０」から受信してそれぞれ３０秒再生された後，「サーバー１２０」から「本編１」を受信して再生し，その後「２つのＣＭ（ＣＭ３及びＣＭ４）」を「サーバー１２０」から受信してそれぞれ３０秒再生された後，「本編２」を「サーバー１２０」から受信して再生し，その後，「２つのＣＭ（ＣＭ５及びＣＭ６）」を「サーバー１２０」から受信してそれぞれ３０秒再生された後，「本編３」を「サーバー１２０」から受信して再生する処理を行うものである。
　そして，「サーバー１２０」は，上記イで検討したように「クライアント１１０」からの「コンテンツ要求」を取得するサーバであり，また，「クライアント１１０」は，この「サーバー１２０」から上記「２つのＣＭ（ＣＭ１及びＣＭ２）」，「２つのＣＭ（ＣＭ３及びＣＭ４）」及び「２つのＣＭ（ＣＭ５及びＣＭ６）」をそれぞれ受信して再生，すなわち表示していることから，当該処理機能は本件補正発明の「前記コンテンツ表示要求を取得した前記サーバから受信した広告を表示し」に相当するものである。
　また，「クライアント１１０」は，それぞれのＣＭが「記述データ」に記載された再生時間だけ再生されたことを条件として「サーバー１２０」から上記「本編１」，「本編２」及び「本編３」をそれぞれ受信して再生，すなわち表示するものであり，この「本編１」，「本編２」及び「本編３」は，そもそも利用者が見たいコンテンツとして選択し，「サーバー１２０」にコンテンツ要求したコンテンツに対応するものであり，かつ，上記「２つのＣＭ（ＣＭ１及びＣＭ２）」の表示が終了すると「サーバー１２０」から受信した「本編１」を表示し，また，上記「２つのＣＭ（ＣＭ３及びＣＭ４）」の表示が終了すると「サーバー１２０」から受信した「本編２」を表示し，さらに，「２つのＣＭ（ＣＭ５及びＣＭ６）」の表示が終了すると「サーバー１２０」から受信した「本編３」を表示するものであり，これはＣＭの表示が終了すると「サーバー１２０」から受信した本編へと表示を切り替えているといえることから，当該処理機能は本件補正発明の「その広告の表示が終了すると，前記コンテンツ表示要求に対応し，かつ，前記サーバから受信した前記デジタルコンテンツへと表示を切り替える」に相当するものである。
　以上のことから，引用発明の「クライアント１１０」は，「ディスプレイ１１２」にＣＭ及びコンテンツを表示するための上記処理機能を果たすための機能手段を備えているといえる。
　そうすると，本件補正発明と引用発明は，後記する点で相違するものの，
「前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段」
を備える点で共通する。
　　
エ　引用発明の上記コンテンツは，「本編１」，「本編２」及び「本編３」に分割されたものであることは明らかであって，上記ウで示したように，「クライアント１１０」において「記述データ」の記載に基づいて，ＣＭの表示が終了すると「サーバー１２０」から受信して表示するものであり，特に「２つのＣＭ（ＣＭ３及びＣＭ４）」は「本編１」と「本編２」の間，つまり分割された位置にて表示され，また同様に「２つのＣＭ（ＣＭ５及びＣＭ６）」は「本編２」と「本編３」の分割された位置にて表示されることも明らかである。
　そうすると，本件補正発明と引用発明は，後記する点で相違するものの，
「前記コンテンツ表示手段は，
　前記デジタルコンテンツにおいて前記広告を表示する位置であって，分割されたデジタルコンテンツを前記サーバから受信し，分割された位置にて前記広告を表示する」
点で共通する。
　　
オ　以上のことから，本件補正発明と引用発明は，
「デジタルコンテンツをサーバから受信する利用者端末であって，
　前記デジタルコンテンツの表示を要求するコンテンツ表示要求を出力する表示要求手段と，
　前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段と
　を備え，
　前記コンテンツ表示手段は，
　前記デジタルコンテンツにおいて前記広告を表示する位置であって，分割されたデジタルコンテンツを前記サーバから受信し，分割された位置にて前記広告を表示する
ことを特徴とする利用者端末。」
である点で一致し，以下の点で相違している。
   　
［相違点］
　本件補正発明の「コンテンツ表示手段」では，「当該デジタルコンテンツの提供者が指定した位置にて，前記デジタルコンテンツを分割するデジタルコンテンツ分割手段」によりデジタルコンテンツを分割し，その分割された位置にて広告を表示するものであるのに対し，引用発明ではそのようになっていない点。
    　
（４）当審の判断
　上記相違点に係る「当該デジタルコンテンツの提供者が指定した位置にて，前記デジタルコンテンツを分割するデジタルコンテンツ分割手段」について，明細書の第【０１１５】段落には「【０１１５】図２は，デジタルコンテンツ配信サーバ装置１の構成を示すブロック図である。デジタルコンテンツ配信サーバ装置１は，作成者がデジタルコンテンツを入力するための入力画面を作成者側端末装置２に表示させる入力画面作成手段１０と，作成者側端末装置２の入力画面にて作成され，インターネット１００を介して送信された作成者の作成したデジタルコンテンツを保存する記憶装置（記憶手段）１１と，記憶装置１１に記憶されたデジタルコンテンツを少なくとも２つに分割するデジタルコンテンツ分割手段１２と，・・・。」と記載されており，当該手段はデジタルコンテンツを配信するサーバに備えられた手段である。
　ところで，本件補正発明は「利用者端末」の発明であり，当該「利用者端末」自体の発明特定事項は上記一致点で示した「表示要求手段」及び「コンテンツ表示手段」であって，サーバから受信した広告を表示し，その広告の表示が終了すると，分割されたデジタルコンテンツをサーバから受信して表示することにより，デジタルコンテンツの分割された位置にて広告を表示するものであり，あくまでも広告と既に分割済みのデジタルコンテンツをサーバから受信して表示するものでしかなく，当該デジタルコンテンツが誰により，また，どのような手段により分割されたものであるかは，「利用者端末」における上記処理機能になんら影響を与えるものではない。
　よって，上記相違点に係る「当該デジタルコンテンツの提供者が指定した位置にて，前記デジタルコンテンツを分割するデジタルコンテンツ分割手段」は，そもそも本件補正発明の「利用者端末」を特定するための意味を有しないものであるから，「利用者端末」を特定する事項において本件補正発明と引用発明とに差異があるとはいえない。
　また，引用発明のコンテンツである「本編１」，「本編２」及び「本編３」も，元々は１つのコンテンツとして提供者から提供されるものと考えるのが普通であり，「２つのＣＭ（ＣＭ３及びＣＭ４）」及び「２つのＣＭ（ＣＭ５及びＣＭ６）」を挿入するために２つの箇所で分割されたものであるから，引用発明の「サーバー１２０」においてもなんらかのコンテンツを分割する分割手段を備えていると考えるのが相当である。
　そして，上記「引用例２記載事項」の「コンテンツ制作者は，コンテンツ配信サーバに対してコンテンツ，及び，当該コンテンツの再生時間情報を登録し，クライアント端末において，コンテンツを前記再生時間情報で指定された再生時間だけ再生した後，入手した広告Ｗｅｂコンテンツを再生することで，クライアント端末に広告Ｗｅｂコンテンツを再生する時間を通知することを可能とすること。」によれば，コンテンツ制作者自身がコンテンツ配信サーバにコンテンツを登録する際に，広告を再生するタイミングを指定可能とすることは周知の技術であり，端末がサーバからコンテンツと広告を受信して再生する点において引用発明と同じ技術分野のものである。
　そうすると，引用発明に当該周知技術を適用し，コンテンツ提供者自身がＣＭの再生タイミングを指定可能とすること，すなわちコンテンツを分割する位置を指定可能とする機能をサーバに追加することにより，上記相違点に係る構成とすることは当業者であれば容易に想到し得たことである。
　そして，この相違点を総合的に勘案しても，本件補正発明の奏する作用効果は，引用発明及び周知技術の作用効果から予測される範囲内のものにすぎず，格別顕著なものということはできない。
　
（５）まとめ
　よって，本件補正発明は，引用発明及び周知技術に基づいて，当業者が容易に発明をすることができたものであるから，特許法第２９条第２項の規定により特許出願の際独立して特許を受けることができないものである。
   　
（６）むすび
　以上のとおり，本件補正発明は，引用発明及び周知技術に基づいて，当業者が容易に発明をすることができたものであるから，特許法第２９条第２項の規定により特許出願の際独立して特許を受けることができないものでもある。
　よって，本件補正は，特許法第１７条の２第６項において準用する同法第１２６条第７項の規定に違反するので，同法第１５９条第１項で読み替えて準用する同法第５３条第１項の規定により却下すべきものである。
   　
第３　本願発明について
１．本願の請求項に係る発明について
　平成２７年１月２６日付の手続補正は上記のとおり却下されたので，本願の請求項１に係る発明（以下，「本願発明」という。）は，平成２６年９月２６日付け手続補正により補正された特許請求の範囲の請求項１に記載された事項により特定される，以下のものである。
　　
「【請求項１】
　デジタルコンテンツをサーバから受信する利用者端末であって，
　前記デジタルコンテンツの表示を要求するコンテンツ表示要求を出力する表示要求手段と，
　前記コンテンツ表示要求を取得した前記サーバから受信した広告を表示し，その広告の表示が終了すると，前記コンテンツ表示要求に対応し，かつ，前記サーバから受信した前記デジタルコンテンツへと表示を切り替えるコンテンツ表示手段と
　を備え，
　前記コンテンツ表示手段は，
　前記デジタルコンテンツにおいて前記広告を表示する位置であって，当該デジタルコンテンツの提供者が指定した位置にて，前記デジタルコンテンツを分割するデジタルコンテンツ分割手段にて分割されたデジタルコンテンツを前記サーバから受信する
ことを特徴とする利用者端末。」
   　
２．引用例
　原査定の拒絶の理由に引用された引用例及びその記載事項は，前記「第２　３．（２）」に記載したとおりである。　
   　
３．対比・判断
　本願発明は，前記「第２　２．」で検討した本件補正発明の「前記コンテンツ表示手段は，前記デジタルコンテンツにおいて前記広告を表示する位置であって，当該デジタルコンテンツの提供者が指定した位置にて，前記デジタルコンテンツを分割するデジタルコンテンツ分割手段にて分割されたデジタルコンテンツを前記サーバから受信し，そのデジタルコンテンツ分割手段で分割された位置にて前記広告を表示する」から，「そのデジタルコンテンツ分割手段で分割された位置にて前記広告を表示する」との限定を省いたものである。
　そうすると，本願発明の構成要件を全て含み，さらに他の構成要件を付加したものに相当する本件補正発明が，前記「第２　３．」に記載したとおり，引用発明及び周知技術に基づいて，当業者が容易に発明をすることができたものであるから，本願発明も，同様の理由により，引用発明及び周知技術に基づいて，当業者が容易に発明をすることができたものである。
　そして，本願発明の作用効果も，引用発明及び周知技術から当業者が予測できる範囲のものである。
　　
４．まとめ
　よって，本願発明は，引用発明及び周知技術に基づいて当業者が容易に発明をすることができたものであるから，特許法第２９条第２項の規定により特許を受けることができないものである。
   　
第４　むすび
　以上のとおり，本願の請求項１に係る発明は，引用発明及び周知技術に基づいて当業者が容易に発明をすることができたものであり，特許法第２９条第２項の規定により特許を受けることができないものであるから，その余の請求項について検討するまでもなく，本願は拒絶すべきものである。
　　
　よって，結論のとおり審決する。